【手続補正書】
【提出日】平成20年8月7日(2008.8.7)
【手続補正１】
【補正対象書類名】明細書
【補正対象項目名】発明の名称
【補正方法】変更
【補正の内容】
【発明の名称】画像データ処理装置及び画像データ処理方法
【手続補正２】
【補正対象書類名】明細書
【補正対象項目名】特許請求の範囲
【補正方法】変更
【補正の内容】
【特許請求の範囲】
【請求項１】  画像データを符号化する画像データ処理装置であって、
上記画像データから輪郭部を検出する検出手段と、
上記検出手段の検出結果に基づいて所定画像データ毎に輪郭部の数を計数する計数手段と、
上記計数手段の計数結果に基づいて、上記符号化による符号量を制御する制御手段とを備え、
上記制御手段は、上記計数手段で計数された所定画像データ毎の輪郭部の数が所定数より多い場合には対応する画像データに第１の符号量を割り当て、上記計数手段で計数された所定画像データ毎の輪郭部の数が所定数以下の場合には対応する画像データに上記第１の符号量より多い第２の符号量を割り当て、上記割当てた符号量を用いて符号量制御を行うことを特徴とする画像データ処理装置。
【請求項２】  上記検出手段は、高域通過フィルタを用いて上記輪郭部を検出することを特徴とする請求項１に記載の画像データ処理装置。
【請求項３】  上記制御手段は、量子化手段を有し、上記量子化手段の量子化特性を制御することで符号量を制御することを特徴とする請求項１又は２に記載の画像データ処理装置。
【請求項４】  画像データを符号化する画像データ処理方法であって、
上記画像データから輪郭部を検出する検出ステップと、
上記検出ステップの検出結果に基づいて所定画像データ毎に輪郭部の数を計数する計数ステップと、
上記計数ステップの計数結果に基づいて、上記符号化による符号量を制御する制御ステップとを備え、
上記制御ステップは、上記計数ステップで計数された所定画像データ毎の輪郭部の数が所定数より多い場合には対応する画像データに第１の符号量を割り当て、上記計数ステップで計数された所定画像データ毎の輪郭部の数が所定数以下の場合には対応する画像データに上記第１の符号量より多い第２の符号量を割り当て、上記割当てた符号量を用いて符号量制御を行うことを特徴とする画像データ処理方法。
【手続補正３】
【補正対象書類名】明細書
【補正対象項目名】０００１
【補正方法】変更
【補正の内容】
【０００１】
【発明の属する技術分野】
本発明は、例えば、ＣＣＤ等の撮像素子からの出力データを圧縮符号化してテープやディスク状の記録素子（記録媒体）に対して記録し、また、当該記録素子の記録データや再生する装置或いはシステムに用いられる技術に関するものである。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
【課題を解決するための手段】
本発明の画像データ処理装置は、画像データを符号化する画像データ処理装置であって、上記画像データから輪郭部を検出する検出手段と、上記検出手段の検出結果に基づいて所定画像データ毎に輪郭部の数を計数する計数手段と、上記計数手段の計数結果に基づいて、上記符号化による符号量を制御する制御手段とを備え、上記制御手段は、上記計数手段で計数された所定画像データ毎の輪郭部の数が所定数より多い場合には対応する画像データに第１の符号量を割り当て、上記計数手段で計数された所定画像データ毎の輪郭部の数が所定数以下の場合には対応する画像データに上記第１の符号量より多い第２の符号量を割り当て、上記割当てた符号量を用いて符号量制御を行うことを特徴とする。
本発明の画像データ処理方法は、画像データを符号化する画像データ処理方法であって、上記画像データから輪郭部を検出する検出ステップと、上記検出ステップの検出結果に基づいて所定画像データ毎に輪郭部の数を計数する計数ステップと、上記計数ステップの計数結果に基づいて、上記符号化による符号量を制御する制御ステップとを備え、上記制御ステップは、上記計数ステップで計数された所定画像データ毎の輪郭部の数が所定数より多い場合には対応する画像データに第１の符号量を割り当て、上記計数ステップで計数された所定画像データ毎の輪郭部の数が所定数以下の場合には対応する画像データに上記第１の符号量より多い第２の符号量を割り当て、上記割当てた符号量を用いて符号量制御を行うことを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２７
【補正方法】変更
【補正の内容】
【００２７】
＜カメラ信号処理回路１０５及びデータ圧縮処理回路１０６の構成＞
カメラ信号処理回路１０５は、図２に示すように、ＹＣ分離回路２０１、第１の輝度信号処理（輝度信号処理１）回路２０２、輪郭検出回路２０４、加算器２０７、第２の輝度信号処理（輝度信号処理２）回路２０３、色信号処理回路２０５、及びＹＣ多重回路２０６を備えている。
データ圧縮処理回路１０６は、上記図２に示すように、バッファメモリ３０１、ブロック化回路３０２、直交変換回路３０３、量子化器３０４、可変長符号化器３０５、量子化幅制御回路３１０、Ｙ成分抽出回路３０６、輪郭検出回路３０７、パターン検出回路３０８、及びカウンタ３０９を備えている。
【手続補正２１】
【補正対象書類名】明細書
【補正対象項目名】００５５
【補正方法】変更
【補正の内容】
【００５５】
【発明の効果】
本発明においては、所定画像データ毎の輪郭数の数が所定数より多い場合には、対応する画像データに第１の符号量を割り当て、所定画像データ毎の輪郭数の数が所定数以下の場合には、対応する画像データに上記第１の符号量より多い第２の符号量を割り当て、割り当てた符号量を用いて符号制御を行うように構成している。
具体的には例えば、圧縮処理又はカメラ信号処理の際に、対象画像データから輪郭部（エッジ部）を検出し、その検出個数が所定数以下の場合、当該輪郭部に多くの符号量を割り当てる。
従って、本発明によれば、上記構成により、画像全体の符号量を莫大に増加させることなく輪郭部（エッジ部）のモスキートノイズを抑圧することができ、画像の鮮明さも失われることがない。